(57)【要約】【課題】モータのもつ磁束の空間高調波に基づくトルクリップルをキャンセルする駆動方法を事前に測定することなく実現すること。【解決手段】モータ１への印加電圧と電流、モータのインダクタンスから、瞬時のモータ誘起電圧を算出し、算出した誘起電圧と電流とを用いて瞬時のトルクを算出し、算出したトルクが所望のトルクと一致するように、モータへの印加電圧を調整するようにしたものである。これによって、磁束の空間高調波により、誘起電圧が少なくなっているところでは、トルクが不足している状態となり、トルクを増加すべく、モータ電流を増加すべく、印加電圧を増大させ、トルクが増加するように制御がなされ、発生するトルクが所望の値に近づくようになる。【選択図】図２
2007028780.tif 000002
【特許請求の範囲】
【請求項１】
モータに印加する交流電圧の瞬時値とモータに流れる交流電流の瞬時値とモータの巻線抵抗とモータ巻線インダクタンスとを用いて、モータが発生している瞬時の誘起電圧を算出し、算出した瞬時の誘起電圧と流れる電流と巻線インダクタンスより、モータが発生している瞬時のトルクを算出し、算出した瞬時のトルクを所望のトルクと一致するように、モータを流れる電流を操作することを特徴とする、モータ駆動制御装置。
【請求項２】
モータの回転速度と所望の回転速度とを比較し、比較結果に基づき、モータの電流指令値を変更し、モータ駆動により得られた電流値と比較し、比較結果に基づき、モータへの印加電圧を調整するモータ駆動制御装置であって、
モータに印加する交流電圧の瞬時値とモータに流れる交流電流の瞬時値とモータの巻線抵抗とモータ巻線インダクタンスとを用いて、モータが発生している瞬時の誘起電圧を算出し、算出した瞬時の誘起電圧と流れる電流と巻線インダクタンスより、モータが発生している瞬時のトルクを算出し、算出した瞬時のトルクを所望のトルクと一致するように、モータへの印加電圧を操作することを特徴とする、モータ駆動制御装置。
【請求項３】
モータの回転速度と所望の回転速度とを比較し、比較結果に基づき、モータの電流指令値を変更し、モータ駆動により得られた電流値と比較し、比較結果に基づき、モータへの印加電圧を調整するモータ駆動制御装置であって、
モータに印加する交流電圧の瞬時値とモータに流れる交流電流の瞬時値とモータの巻線抵抗とモータ巻線インダクタンスとを用いて、モータが発生している瞬時の誘起電圧を算出し、算出した瞬時の誘起電圧と流れる電流と巻線インダクタンスより、モータが発生している瞬時のトルクを算出し、算出した瞬時のトルクを所望のトルクと比較し、比較結果をモータの回転速度の整数倍の情報のみを通過させるフィルタ手段に入力し、フィルタ手段の出力で、モータへの印加電圧を操作することを特徴とする、モータ駆動制御装置。
【請求項４】
モータの回転速度の整数倍の情報のみを通過させるフィルタ手段として、回転周期分の遅延手段をもうけ、遅延手段の出力と入力とを比較し、比較結果を遅延手段の入力に再入力するようにして構成し、遅延手段の出力する位置よりも少し手前の位置に相当する時点での情報をもって、モータへの印加電圧を操作することを特徴とする、請求項３記載のモータ駆動制御装置。
【請求項５】
モータの回転速度の整数倍の情報のみを通過させるフィルタ手段を経由してモータへの印加電圧を操作する手段までの間もしくは、前記モータの回転速度の整数倍の情報のみを通過させるフィルタ手段の手前に直流成分を除去する高域通過フィルタを設けたことを特徴とする請求項４記載のモータ駆動制御装置
【請求項６】
モータの回転速度の整数倍の情報のみを通過させるフィルタ手段の出力情報を速度誤差に基づく指令電流値と乗算し、乗算結果により、モータへの印加電圧を操作することを特徴とする請求項３記載のモータ駆動制御装置。
【請求項７】
モータの回転速度の整数倍の情報のみを通過させるフィルタ手段を経由してモータへの印加電圧を操作する手段および直流成分を除去する高域通過フィルタ手段が直列に接続され、その出力から得られた値を、モータの電流を入力としたときの必要な電圧を求める関係式に入力し、得られた電圧値を、速度誤差に基づく電流制御により得られたモータへの印加電圧値に加算することを特徴とする、請求項５記載のモータ駆動制御装置。
【請求項８】
モータの回転速度の整数倍の情報のみを通過させるフィルタ手段の出力情報を速度誤差に基づく指令電流値と乗算し、乗算結果を、モータの電流を入力としたときの必要な電圧を
求める関係式に入力し、得られた電圧値を、速度誤差に基づく電流制御により得られたモータへの印加電圧値に加算することを特徴とする、請求項６記載のモータ駆動制御装置。
【発明の詳細な説明】
【技術分野】
【０００１】
本発明はモータの駆動制御装置に関するものであり、特に、モータから発生するトルクを一定にして、静粛に駆動を実現する駆動制御装置に関するものである。
【背景技術】
【０００２】
従来、高効率なモータとして、回転子に永久磁石を埋め込むＩＰＭモータが知られており、さらに、固定子側では、電線をスロットをまたぐことなく巻き付ける集中巻きの構造が知られている。この集中巻きのＩＰＭモータでは、磁束の空間高調波が大きく、モータ効率、トルクリップルなどの課題を発生してしまう。
【０００３】
この課題に対して、非特許文献１では、磁束の空間高調波をあらかじめ調べ、空間高調波を含んだ電圧方程式を用いて、空間高調波によるトルクリップルをキャンセルさせるという試みがなされている。
【０００４】
また、特許文献１でも、トルクリップル成分をあらかじめ調べて低容量のＲＯＭに記憶しておく方法が開示されている。
【非特許文献１】吉本貫太郎，北島康彦  他２名  「ＩＰＭＳＭの高調波電流制御（ＲＭ−０３−５０）」電気学会研究会、２００３年７月１０日
【特許文献１】特開平１１−５５９８６号公報
【発明の開示】
【発明が解決しようとする課題】
【０００５】
しかしながら、前記従来の構成では、磁束の空間高調波について、既知であることが必要であり、駆動するモータによっては、負荷状態により空間高調波の状況が変化し、より詳細に空間高調波を測定する必要があり、トルクリップルをキャンセルすることが汎用的には実現できないという課題を有していた。
【０００６】
本発明は、前記従来の課題を解決するもので、モータに印加している電圧と電流、モータのインダクタンスなどのパラメータを用いて、モータの瞬時の誘起電圧を算出し、得られた誘起電圧と電流などから、瞬時のトルクを算出し、瞬時のトルクがリップルを持たないように、モータの電流制御を行うことにより、空間高調波の情報を事前に測定しておくことなしに、トルクリップルの発生を抑えることができる、モータ駆動制御装置を提供することを目的とする。
【課題を解決するための手段】
【０００７】
前記従来の課題を解決するために、本発明のモータ駆動制御装置は、モータへの印加電圧と電流、モータのインダクタンスから、瞬時のモータ誘起電圧を算出し、算出した誘起電圧と電流とを用いて瞬時のトルクを算出し、算出したトルクが所望のトルクと一致するように、モータへの印加電圧を調整するようにしたものである。
【０００８】
これによって、磁束の空間高調波により、誘起電圧が少なくなっているところでは、トルクが不足している状態となり、トルクを増加すべく、モータ電流を増加させて、トルクが増加するように制御がなされ、発生するトルクが所望の値に近づくようになる。
【発明の効果】
【０００９】
本発明のモータ駆動制御装置は、モータの磁束のもつ、空間高調波成分によるトルクリップルを、高調波成分の大きさなどを事前に知ることなく抑制することができ、静粛なモ
ータ駆動を実現することができる。
【発明を実施するための最良の形態】
【００１０】
以下、本発明の実施の形態について、図面を参照しながら説明する。なお、この実施の形態によって本発明が限定されるものではない。
【００１１】
（実施の形態１）
図１は、本発明の第１の実施の形態におけるモータ駆動制御装置の全体回路構成を示す回路ブロック図を示すものである。
【００１２】
図１において、直流電源５に三相ブリッジ回路４を接続し、三相ブリッジ回路４の出力にモータ１を接続する。モータ１の駆動制御は、モータ１への電流を電流検出器６，７で検出し、回転検出器２でモータ１の回転状況を検出し、モータ１への印加電圧の発生精度を向上させるために、直流電源５の電圧を検出し、それらの結果にもとづいて、制御回路３にて三相ブリッジ回路４へ制御信号を与えることにより、モータ１の駆動を実現する。
【００１３】
以上のように構成されたモータ駆動制御装置における、制御回路３の動作・作用を説明する。
【００１４】
図２は、制御回路３における動作の流れを示すブロック線図である。
図２において、外部から速度指令ω＊が入力され、速度検出器２により得られた検出速度ωと比較回路２０２で比較される。比較結果は速度誤差としてＰＩ補償手段２０３および、ゲイン調節手段２１０に送られる。ＰＩ補償手段２０３では、速度が安定するような補償演算を行い、演算結果を加算手段３０８に送る。加算手段２０８では、乗算回路２０９の出力結果とを加算し、その結果を電流指令値Ｉ＊として比較手段２０４に送る。比較手段２０４では、電流指令値と検出した電流とを比較し、その結果をＰＩ補償手段２０５へと送る。ＰＩ補償手段２０５では、電流が安定するような補償演算を行い、その結果を加算回路２０６で￥逆モータ特性演算手段２０７の出力結果とを加算し、電圧値として、図１の三相ブリッジ回路４を駆動して、モータ２０１に電圧を印加する。モータ２０１では電圧印加により、電流が流れ、回転トルクを発生し、回転する。ここまでの動作は、一般的な電流制御を内部ループにもつ、速度制御系と同じである。
【００１５】
次に、ゲイン調整手段２１０に送られた速度誤差は、平均トルク指令として、トルク比較手段２１８に送られる。比較される推定トルクについて説明する。モータ２０１への瞬時瞬時の印加電圧Ｖおよび電流Ｉよりモータ２０１における瞬時の誘起電圧を算出する。誘起電圧は、印加電圧からモータ２０１のインピーダンス成分と電流による電圧効果を差し引いた値として算出することができる。ここでインピーダンス成分はモータ２０１の抵抗およびインダクタンスである。
【００１６】
このようにして算出した瞬時の誘起電圧をそのときの回転速度で除算すれば、トルク定数、つまり、電流とトルクとの比例係数になる。したがって、このときに、瞬時の電流を用いることにより、瞬時のトルクを算出することができる。なお、トルク発生として、モータのインダクタンスも利用できるモータである場合には、インダクタンスの値も加味してトルクを算出すればよい。
【００１７】
このようにして算出した瞬時のトルクと速度誤差から得られたトルク指令との差を比較手段２１８にて算出し、瞬時のトルク誤差を得る。得られた瞬時のトルク誤差は、高域通過フィルタ（ＨＰＦ）２１３を経由して、加算手段２１４に送られ、加算手段２１４の出力を１回転周期遅延させた情報と再加算される。加算手段２１４の出力はゲイン調整手段２１６を経て、１回転周期遅延手段２１５に送られ、再び加算手段２１４へと循環すると
ともに、δθ進相手段２１７へ送られる。δθ進相手段２１７の出力は乗算手段２０９へと送られ、速度制御系のＰＩ補償手段２０３の出力と乗算される。乗算結果は、モータ逆特性演算手段２０７および加算手段２０８へ送られる。モータ逆特性演算手段２０７では、モータ２０１に所定の電流が流れている時の電圧を逆算する。つまり、瞬時トルクを一定にするために必要な電流を発生するための電圧を算出する。モータ逆特性演算手段２０７の演算結果を加算手段２０７に送り、電流制御系のＰＩ補償演算手段２０５の演算結果と加算して、モータ２０１への印加電圧とする。
【００１８】
次に、通常の速度制御、電流制御による方法と瞬時トルク推定による制御方法との協調について説明する。図４（ａ）は、図２における、加算手段２１４、ゲイン調節手段２１６、１回転周期遅延手段２１５で構成される情報処理系の周波数特性を示したものである。また、同図（ａ）の点線は図２で手前に配置された高域通過フィルタ２１３の特性を示すものである。図（ａ）において、１回転周期の周波数の整数倍以外の成分は、加算されないので、１回転周期の周波数の整数倍のみを通過させる櫛型フィルタ特性を有する。これの手前に高域通過フィルタ２１３を接続しているので、同図（ｂ）のように、ゼロ倍の情報が遮断され、磁束の高調波成分のみを抽出することができる。
【００１９】
このようにして抽出された磁束の高調波成分は、δθ進相手段にて、演算手段などによる情報の遅れを相殺して乗算手段２０９に送られる。乗算手段を用いるのは、磁束の高調波成分の大きさが、平均磁束の大きさに略比例する特性を利用するもので、平均磁束の大きさは、電流値に対応するので、乗算を行うことにより、略適正な振幅に自動的に変調される。振幅のずれがあっても、瞬時トルク一定制御系もフィードバック制御であるので、その誤差は吸収される。
【００２０】
乗算結果を加算手段２０８により電流指令に加算するとともに、モータとは逆の特性をもつ演算手段を経由して、そのときの電流に対応する電圧を演算して、電圧を直接変調する。モータと逆の特性をもつ演算手段についても、真のモータ特性とのずれが含まれているが、瞬時トルク一定制御系はフィードバック制御であるので、その誤差は吸収される。モータと逆の特性をもつ演算手段を用いる理由は、図１で示したような三相ブリッジ回路の制御は一般にパルス幅変調によるものが用いられており、所望の電流を実現するための印加電圧の変更周期がパルス変調の周期になっており、電流制御の応答が周期により限定されるため、電流制御では実現できない高速応答を実現するためである。一般的に、三相ブリッジ回路での制御周期に対して、制御系の応答時間は、その１桁遅い値になり、モータが高速回転しているときには、電流のフィードバック制御では追従できないからである。
【００２１】
以上のように、本実施の形態においては、瞬時トルクを算出して、一定に保つべく、高調波成分のみを抽出して、印加電圧を直接操作することにより、通常の電流制御が追従しえない高速領域までトルクを一定に保つことが可能になり、高効率で静粛な駆動が可能になる。
【００２２】
（実施の形態２）
図３は、本発明の第２の実施の形態のモータ駆動制御装置の制御情報の流れを示すブロック線図である。基本構成は、第１の実施の形態と同様であり、同じ要素には同じ番号を付与している。図３では、δθ進相手段２１７の出力を乗算手段を介することなく、逆モータ特性演算手段２０７と電流指令値への加算手段３０８に入力する。使用するトルクの急激な変化がない場合には、徐々に１回転周期遅延手段２１５に磁束の高調波成分の情報が蓄積されるので、図３のように簡素化することが実用上可能になる。
【００２３】
なお、実施の形態１、および２で高域通過フィルタ２１３を遅延手段の手前に配置した
が、δθ進相手段の手前でも、乗算手段２０９の手前でも同じ効果が得られることはいうまでもない。
【産業上の利用可能性】
【００２４】
以上のように、本発明にかかるモータ駆動制御装置は、事前に磁束ひずみの情報を入力することなく高効率なモータを静粛に駆動することが可能となるので、輸送機器、送風機器、家庭用電気機器などの幅広い用途に適用できる。
【図面の簡単な説明】
【００２５】
【図１】本発明の実施の形態におけるモータ駆動制御装置の全体回路ブロック図
【図２】本発明の実施の形態１におけるモータ駆動制御装置における制御回路の情報処理を示すブロック線図
【図３】本発明の実施の形態２におけるモータ駆動制御装置における制御回路の情報処理を示すブロック線図
【図４】実施の形態における高調波抽出部分の特性を示した周波数特性図
【符号の説明】
【００２６】
１  モータ
２  回転検出器
３  制御回路
２１１  瞬時の誘起電圧推定手段
２１２  瞬時のトルク推定手段
２１３  高域通過フィルタ
２１５  １回転周期遅延手段
２０７  モータ逆特性算出手段
【図１】
2007028780.tif 000003
【図２】
2007028780.tif 000004
【図３】
2007028780.tif 000005
【図４】
2007028780.tif 000006